(57)【要約】      （修正有）【課題】瓦屋根における太陽光発電パネル架台支持装置において、瓦の山部への２孔は焼入れ工程が加わるため許容寸法と強度を得がたいことと速やかな施工に難がある。【解決手段】補強板７と垂木１と野地板２を螺子クギにて固定する。各部品が溶接され一体である下部架台金属のベースプレート９は補強板７に螺子クギにて固定する。瓦補強防水シート１５を貼り工場削孔した削孔穴１４に架台金物ボルト１２を通し、瓦６を所定箇所に設置する。架台金物ボルト１２と瓦孔１４の隙間に防水コーキングを施工し、削孔穴部分１４に増し貼り１７を施工する。４本の架台金物ボルト１２に上部架台ベースプレートをナットにて固定する。その結果、左右隣接の２瓦による４本の架台金物ボルト１２に支持点を持つ上部架台ベースプレートは長支間での安定が得られ、風雪の大荷重に対応可能となる。【選択図】図１
2011012452.tif 000002
【特許請求の範囲】
【請求項１】
瓦の山部位置の下に設置する下部架台金属の構造形状について、太陽光発電パネルとその金属枠から受ける全方向の上載荷重に対応するため、列配置の架台金物のボルト２ヶ所と架台金物のベースプレートの間に壁装置を設けること、そのことにより、架台金物のボルトに加わる集中荷重を分散軽減することを特徴とする装置。
【請求項２】
使用中の瓦または新品瓦の山部位置に下部架台金属の架台金物のボルトを通すための２穴を機械削孔することと、瓦の山部位置にて瓦を補強そして防水性向上ためのシート防水を貼ること、そのことにより、瓦の谷部の流水を避けた位置に支持架台金物のボルトの設置を可能にすることを特徴とする装置。
【請求項３】
安定可能な上部架台金物のベースプレートの設置を可能にするため、１枚目瓦の山部位置に支持架台金物のボルトの２支持点を設ける、そして、その瓦の隣接箇所に同構造の２枚目瓦を設置する、そのことにより、左右の瓦を合わせ４点の支持を得ることを特徴とする装置。
【発明の詳細な説明】
【技術分野】
【０００１】
本願発明は、瓦屋根に於ける太陽光発電パネル架台の支持装置として、装置の製作と施工が単純で可能なこと、太陽光発電パネル設置後に雨漏りを発生させないこと、風雪の大きい荷重に対応可能な強度を有すること、瓦の維持管理が軽減されることに配慮した従来技術を合成した技術である。
【０００２】
既存あるいは新品の瓦１枚に２穴を列削孔する技術については、圧搾空気によるサンドブラスト方式またはモーター回転軸による湿潤可能な小径コーワ抜き方式を採用するもので、その作業方法の違いは瓦の硬度によって、その方式を使い分ける。
【０００３】
下部架台金物について、本体は瓦の山部の下面と野地板の小空間に位置する。その構造は下部架台ベースプレートとボルト２本に立上がり壁を設ける、そのことにより架台金物のボルトに加わる集中荷重の分散を可能にする。その結果、風雪の大荷重に対応可能な形状を有している。
【０００４】
１枚目瓦の山部に２本の架台金物のボルトを設置し、その瓦の隣接位置に同構造の２枚目瓦を設置する構造は、左右の瓦の山部が合わさって一体となる４点支持が得られる。その長支間支持の４点は上部架台ベースプレート設置に必要な強度と安定を得る。
【背景技術】
【０００５】
従来の瓦屋根の太陽光発電パネル架台について、旧瓦を専用の金属性支持瓦に取替えることにて施工されている。その金属性支持瓦の構造は開口部等の設備を設けることから瓦の谷部分に突起構造が位置している。そのために瓦の流水位置に障害となっている。
【０００６】
瓦の山部にボルトを設置する方式は瓦焼入れ前に開口する、その後に焼入れする方式である。そのため、１穴方式あるいは切欠き方式が一般的である。瓦焼入れ前に開口は穴の位置寸法にも誤差が大きく発生することと、速やかな施工に難がある。
【０００７】
屋根垂木と野地板と補強板を合わせた３層構造は支持瓦の底部構造として一般的に採用されている構造である。固定方式は屋根垂木２本と野地板と補強板を螺子クギまたはボルトナット固定する方法が取られる。
【０００８】
太陽光発電パネル架台と補強板の間に位置する支持金物の形状は上載荷重と防水性能と施工の可能性を考慮した形状から様々な工夫が加えられ特徴のある形状を有している。その資料は
【０００９】
【特許文献１】特開２００５−２７７２号公報
【発明の開示】
【発明が解決しようとする課題】
【００１０】
瓦屋根における太陽光発電パネル架台の支持方式において、従来方式は旧瓦を専用の支持瓦に取替えることが一般的である。その支持瓦の構造は開口部等の設備を備えることで瓦の谷部分に突起構造が位置することである。その結果、突起構造は瓦の谷部分を流れる水流の障害となっていることと、太陽光発電パネル設置後は清掃管理が困難な課題がある。
【００１１】
瓦の山部に架台の金物ボルトを設置する場合は焼入れ前の瓦に穴を設ける方法が取られる、しかし焼入れ後に安定した期待する寸法を確保出来ないことと製作に長時間を要する難がある。
【００１２】
従来方式の瓦の山部に支持架台金物ボルトを１穴設置する場合、風雪の大荷重に対し支持架台金物強度が不足することからボルトの水平変位が大きくボルトが撓む課題がある。
【課題を解決するための手段】
【００１３】
（請求項２）に記載の瓦の山部に２穴削孔する支持架台金物のボルトの設置位置は瓦の谷部の位置でなく瓦の山部の位置である。そのことにより、瓦の谷部での流水に支障となる課題を解決したことを特徴にしている。
【００１４】
瓦の山部に２穴削孔する削孔作業の方法は２方法あり、その１は瓦に予め正確な穴位置を開切削したゴムシートを瓦表面に貼ること、その後、圧搾空気によるサンドブラストによる吹付け削孔施工を行うことです。（請求項２）に記載の瓦表面に貼ったゴムシートは事後に瓦補強と防水シートとして兼用する。
【００１５】
削孔作業の方法の２としては、瓦を治具にて固定後、湿潤式ダイアモンドコーア抜きカッタードリルのよって削孔施工する。これら削孔作業の２方法の使い分けは瓦の硬度によって使い分ける。
【００１６】
瓦の山部の２穴には架台金物のボルトを通し、瓦を設置する。その後工程になる瓦穴付近の削孔による強度低下部の処理方法は、防水シートにより瓦の山部を補強すること、穴とボルトの隙間には伸縮可能なコーキング防水を施工すること、そしてコーキング防水の上面には二次補強となる防水シートの増し貼りを施す。
【００１７】
（請求項１）に記載の架台金物の構造は、ベースプレートと壁とボルト２本の部品によって構成され溶接等による一体構造である。架台金物は瓦下面と補強板上面の小空間を使用した位置に構築され、架台金物は水平と鉛直方向の荷重に対応する壁はボルトの曲がりを抑止していることを特長とする。
【００１８】
（請求項３）に記載の上部架台ベースプレートは太陽光発電パネルの金属組枠と瓦下部の架台金物ボルトの間に働く組枠を受ける金属プレートである。その上部架台ベースプレートは左右の隣接する瓦の２枚から４点支持を得る構造である。この構造によって瓦谷部の流水に支障無く、なお、瓦２枚の山部位置に支点を構成する長尺支間構造により安定構造になっていることを特長とする。
【００１９】
野地板上部に設置する補強板は３箇所以上の垂木に対し各２点以上を螺子固定する構造である。これは従来の２箇所の垂木止めから少なくとも３箇所以上の止めに増構成されることから安定と高強度を確保する構造である。
【００２０】
（請求項１、２、３）に記載の内容は瓦屋根の太陽光発電パネル設置架台支持装置として提案するものである。そして、本願発明の請求項の項目は従来技術と合わせた単独あるいは集合体としても使用が可能である。そして表記した金物と板と防水シートは所要の品質による特性を問うたもので、その材質を固定したものではない。
【発明の効果】
【００２１】
（請求項１）に記載の下部架台金物の構造は雨水の流水方向に上載の太陽光発電パネルの金属組枠の大きい荷重が加わる、そのため、ボルト２本を縦列配置していることにて大きい雪荷重を受ける構造である。
【００２２】
下部架台金物のボルト２本はベースプレートとの間に壁を構築している、その壁とベースプレートはボルト２本と一体構造とするためボルトに加わる曲がり荷重を抑止し、下部架台金物全体の強度と安全を確保している。
【００２３】
（請求項２）に記載の使用中の瓦または新品瓦の山部位置に２穴を機械削孔することと、瓦の山部位置にて瓦を補強そして防水性向上ための防水シートを貼ることは、現場の諸条件に順応し易い施工内容である、そのため、支持専用の瓦を工場にて多量製作することなく、旧瓦での少品種施工が可能であること、つまり様々な瓦の種類に現場対応にて可能になることである。
【００２４】
（請求項３）に記載の１枚目瓦の山部位置に２支持点を設け、隣接箇所に同構造の２枚目瓦を設置する、左右の瓦から長支間の４点支持にて安定可能になり上部架台ベースプレートの設置が可能になることと、流水部の流水に支障ある構造物は無くなり清掃管理が容易くなる。
【発明を実施するための最良の形態】
【００２５】
新築建物の設計時点から太陽光発電パネルを設置する架台構造が織り込まれることは理想であるが本発明実施の形態は既住宅の多様式の瓦屋根に対する太陽光発電パネルを設置する架台について工夫された装置である。
【００２６】
１枚瓦の山部に２ボルト孔の削孔を可能にした構造は、そのボルト孔が瓦強度を弱くする負の要因を持つ、そのため防水シートによる補強がなされたものである、それは現場における多品種少量生産に適した装置である。
【実施例】
【００２７】
図１および図２は、本願発明の一実施形態を示したもので、垂木１、野地板２、補強板７、下部架台金物１３、瓦６、上部架台ベースプレート２０からなる瓦屋根の太陽光発電パネル設置架台支持装置とその構造である。
【００２８】
図１の垂木１、野地板２、補強板７は補強板から螺子によって３本の垂木に固定される。垂木の位置数の増減によっては２瓦が安定する数本の垂木に固定する。
【００２９】
図１の下部架台金物１３について、ベースプレート９、架台金属ボルト１２、下部架台金物立ち上がり壁１１は堅固な溶接等の一体形状にする、そのため工場加工した防食した物を採用する、ベースプレートは補強板と野地板に４点以上の堅固になるよう下部架台金物を螺子固定１０する。
【００３０】
図１に示す作業のために取外した無加工の瓦５と、削孔と防水シート施工を施した２枚の瓦６を復元位置に設置する。その後、瓦穴１４には伸縮可能な防水コーキングを施工する。
【００３１】
図２のボルト１２とその周囲に施した防水コーキングの上面に防水シートの増し貼り１７を施工し瓦とその下部構造の施工は完成する。その後、太陽光発電パネル枠の固定部分２２に上載する枠を固定する。
【産業上の利用可能性】
【００３２】
既設瓦屋根の多くは太陽光発電パネル架台を設置する設計がなされていない、そのため、工夫をもって対処する必要に迫られている。
【００３３】
本願発明を採用することにより既設瓦屋根の多くに太陽光発電パネル架台を設置する新しい方法が加わることになる。
【図面の簡単な説明】
【００３４】
【図１】本願発明の一実施形態を示す瓦より下部を表す鳥瞰図である。
【図２】本願発明の一実施形態を示す瓦より上部を表す鳥瞰図である。
【符号の説明】
【００３５】
１・・・垂木
２・・・野地板
３・・・瓦の山部
４・・・瓦の谷部
５・・・無加工の瓦
６・・・穴を施した瓦
７・・・補強板
８・・・補強板螺子止
９・・・下部架台金物のベースプレート
１０・・・下部架台金物の螺子止
１１・・・下部架台金物の立上がり壁
１２・・・下部架台金物のボルト
１３・・・下部架台金物の全体
１４・・・瓦削孔穴
１５・・・防水と瓦補強ゴムシート貼り
１６・・・瓦穴防水コーキング
１７・・・・瓦穴防水ゴムシート増し貼り
１８・・・上部架台ベースプレートの上部止め金物
１９・・・上部架台ベースプレートの下部止め金物
２０・・・上部架台金物の全体
２１・・・上部架台ベースプレートの金物の止め穴
２２・・・太陽光発電パネル枠の固定部分
【図１】
2011012452.tif 000003
【図２】
2011012452.tif 000004